(57)【特許請求の範囲】
【請求項１】
内部滑動体（11）と、前記内部滑動体（11）を部分的に囲むシェル（10）とを有し、両端部が開放されたパックであって、ベース壁（14）を有する内部滑動体（11）は、シェル（10）と内部滑動体（11）にある両ストッパが、互いに対応して嵌まり合う結果として、シェル（10）内で限られた範囲だけを移動することができ、下記の（a）〜（e）を特徴とするパック。
（a）前記シェル（10）は、上部壁（25）、底部壁（26）および両側部壁（27,28）を備える
（b）前記シェル（10）は、底部壁（26）の内面に接続されるか、または、底部壁（26）に取り付けられた外縁タブ（29）を備える
（c）前記外縁タブ（29）は、縁部が開いた凹部（34）を備える
（d）内部滑動体（11）のベース壁（14）には、前記外縁タブ（29）の前記凹部（34）内に進入するストッパタブ（30）が設けられている
（e）凹部（34）の横断方向エッジ部は、ストッパタブ（30）のためのストッパ（35,36）を形成し、前記ストッパタブ（30）は、前記凹部（34）の内部で移動されることができる
【請求項２】
内部滑動体（11）に設けられたストッパタブ（30）は、ベース壁（14）の一部であり、前記ストッパタブ（30）の少なくとも一部の区域が前記凹部（34）内に突出するように、ベース壁（14）の面を越えて突出している点を特徴とする請求項１記載のパック。
【請求項３】
ストッパタブ（30）は内部滑動体（11）のベース壁（14）と長手方向に隣接しており、シェル（10）の側部壁（28）の区域においてベース壁（28）を横断してこれに直角に延出しており、前記ストッパータブ（30）は、側部壁（28）の区域に形成された凹部（34）内に突出している点を特徴とする請求項１または２記載のパック。
【請求項４】
ストッパータブ（30）のための開くときのストッパー（35）を形成する凹部（35）のエッジ部は、凹部（34）の区域において、外縁タブ（29）を変形させることによって、前記ストッパータブ（30）用の持ち上がり突起部を形成する点を特徴とする請求項１記載のパック。
【請求項５】
閉じるときのストッパ（36）を形成する凹部（34）のエッジ部が斜め方向を向いている点、および、閉じるときのストッパ（36）と向き合うストッパタブ（30）のエッジ部（33）が、前記凹部（34）のエッジ部に対応する斜め方向を向く構造をなす点を特徴とする請求項１記載のパック。
【発明の詳細な説明】
【技術分野】
【０００１】
この発明は、内部滑動体と外側シェルを備えるパックに関し、前記シェルは少なくとも部分的に前記内部滑動体を囲んでおり、前記パックは、その両端部が開いており、特に、シガレットグループを収容するこことを目的とし、前記内部滑動体は少なくとも１つのベース壁を備える。
【背景技術】
【０００２】
シェルと内部滑動体とを備える構造のシガレットパックは、国際的に知られているが、今日に至るまで、ヒンジ蓋付きボックスやソフトカートンパックほどには広く用いられていない。内部滑動体とシェルを備えるパックの場合は、シガレットグループが、錫箔や紙製の内側ブランクによって囲まれる。その結果、シガレットブロックは、ベース壁と、両側部壁と、１つの端部フラップと閉鎖フラップとからなる内部滑動体内に嵌め込まれる。パックの内容物を取り出すには、内部滑動体を或る程度シェルの外に押し出すので、パックの内容物が閉鎖フラップの領域内に露出される。
【発明の開示】
【発明が解決しようとする課題】
【０００３】
この発明の目的は、外観を変更したり製造費用を増大したりせずに、パック、特に内部滑動体とシェルを備えるタイプのシガレットパックの取り扱いを改善することである。
【課題を解決するための手段】
【０００４】
この目的を達するために、この発明のパックは、シェル内に設けられたストッパまたは接続手段の成果として、内部滑動体が或る限られた範囲だけシェルの外へ押し出される点を特徴とする。前記のストッパまたは接続手段は、好ましい効果を奏し、一方においては内部滑動体が予定の開いた位置まで移動されるとともに、他方においては、その閉じた位置がシェルの部位に終わるように規定される。
【０００５】
１つの有利な具体例の場合には、少なくとも１つのストッパが内部滑動体面に設けられ、このストッパはシェル内部の１つまたは２つの合わせストッパと協働する。シェルのストッパは、ベース壁の一部として、すなわち、サイドフラップの領域に形成されるストッパフラップによって形成される。この発明の特別な形態の場合には、合わせストッパが重なる折り曲げタブまたはシェルの接続タブから打ち抜かれることによって製造される凹部の縁部によって形成される。
【０００６】
１つの代替手段として、変形可能な弾性的な接続手段がシェルの内部において内部滑動体とシェルの間に設けられる。この接続手段は、内部滑動体の移動範囲を制限する。
【０００７】
添付図面を参照しつつ、パックの模範具体例を詳細に説明する。
【発明を実施するための最良の形態】
【０００８】
図示の内部滑動体とシェルを備えるタイプのパックは、２つのパーツ、つまり、外側壁１０と内部で移動することができる内部滑動体１１とを含み、これら両者はともに特に薄いカードボード製である。
【０００９】
２列のシガレットを含むシガレットグループ１２がパックの内容物として示されている。シガレットグループ１２は、内側ブランク１３によって囲まれているので１つのシガレットブロックを形成し、これがパック内に嵌め込まれる。
【００１０】
シェル１０と内部滑動体１１はそれぞれ、別体のブランクからなる。図１〜図６の模範具体例の場合は、内部滑動体１１は、支持壁すなわちベース壁１４と、互いに反対側にある挿入フラップ、すなわち、閉鎖フラップ１５とこれとは反対側にある端部フラップ１６とで構成される。サイドフラップ１７、１８が、ベース壁１４の側方に設けられている。内部滑動体１１の曲折がひとたび完了すると、これらのサイドフラップは、直立位置に来るように折り曲げられるので、内部滑動体１１は、ベース壁１４の領域においてＵ字状の断面を有することになる。
【００１１】
閉鎖フラップ１５は、端部壁１９とこれに隣り合う挿入フラップ２０を備える。パンチカット２１は、サイドフラップ１７、１８から閉鎖フラップ１５を区画しており、パンチカットの過程で中間壁２２が形成される。個々の領域すなわち複数のブランク壁は、折り曲げ線によって互いから区画されており、この様子は点線で図示されている。
【００１２】
端部フラップ１６は、２つの領域、つまり、端部壁２３とこれに隣り合う挿入フラップ２４とを備えている。
【００１３】
図４に特に示されているように、パックの内容物-シガレットブロック-は、パックが閉じた位置では、少なくともその一部がその四方を内部滑動体１１によって囲まれている。端部壁１９が、フィルタ付きシガレットの場合は、フィルタの領域において、シガレットすなわちシガレットブロックの一方の端部と向き合って接触しており、他方においては、端部壁２３がシガレットブロック内のシガレットの反対側端部と接している。挿入フラップ２０と２４は、ベース壁１４とは反対側に位置する側においてシガレットブロックと向き合って接する。
【００１４】
シェル１０は、上部壁２５と、これに向き合って配置された底部壁２６と、幅が狭く細長い側部壁２７、２８から形成される。両端部が開いた長方形断面の中空本体を形成するために、シェル１０のブランクの外縁タブ２９は、底部壁２６の自由な外縁領域に接続、つまり、接着される。外縁タブ２９はここでは、底部壁２６の内側と向き合ってこれに接する。シェル１０は、底部壁１４が底部壁２６の内側と向き合ってこれに接するようにシガレットブロックと一緒に内部滑動体１１を囲む。サイドフラップ１７、１８は、側部壁２７、２８の内側と接している。
【００１５】
パックは、内部滑動体１１の少なくとも一方の端部の位置、好ましくは、２つの端部の位置が、シェル１０に対して内側に隠れた態様で設けられた諸部材によって固定されるように設計される。これらの位置の１つは、図１、図２に対応する開いた位置である。この場合、内部滑動体１１は、-内側ブランク１３のフラップが先行して取り外された後-シガレットグループ１２を自由に利用できる程度にシェル１０の外に突出する。閉じた位置(図４参照)は、同様に、言い換えれば、内部滑動体１１がシェル１０の部位に終わるような位置に固定される。
【００１６】
１つの特徴は、内部滑動体１１の端部位置が、ストッパと合わせストッパの補助手段を具備することである。図１〜６によれば、ストッパタブ３０が、内部滑動体１１の一部として内部滑動体の側方に形成される。ストッパタブ３０を画定するパンチング３１は、内部滑動体１１のベース壁１４の領域に設けられる。このストッパタブ３０は、サイドフラップ１８まで延出している。パックを使用するときは、ストッパタブ３０の２つの互いに対向するストッパ縁部３２、３３が有効になることができる。
【００１７】
合わせ部材、すなわち、合わせストッパがシェル１０の内側に、今の場合は、底部壁２６の領域に形成される。合わせストッパは、外縁タブ２９の一部であるか、それ自体によって形成される。底部壁２６の内側に接する外縁タブ２９は、１つの(開いた)凹部３４を備えており、その横断方向の縁部すなわちエッジ部が、合わせストッパとして、正確にいえば、開くときのストッパ３５および閉じるときのストッパ３６として機能する。
【００１８】
パックの曲折が一度完了してパックが組み立てられた状態では、ストッパタブ３０が、凹部３４の領域に配置されている。このストッパタブ３０は、斜め方向を向いており、言い換えれば、ベース壁１４の面を下方に通り抜け凹部３４内に突出する。ストッパタブ３０の位置は、材料の性質によってもたらされる。その理由は、ストッパタブ３０は、ベース壁１４とサイドタブ１８の間で曲折縁部３７まで延出するからである。ストッパタブ３０の突出領域は、スライド１１の作動中、すなわち、開放移動が行われてストッパ縁部３２が関連する合わせストッパ、すなわち、開くときのストッパ３５と対向して接するまで凹部３４内において変化することができ、こうして端部位置を固定する。反対方向へ移動する場合は、ストッパ縁部３３が、スライド１１の閉じた位置に一致する閉じるときのストッパ３６と向き合って接するに至る。
【００１９】
ストッパ縁部３３、そして、したがって閉じるときのストッパ３６の縁部もまた、斜め方向を向いている。このことは、パックが組み立てられるとき、内部滑動体１１がシェル１０内に導入されることを一層容易にする。内部滑動体が押し込まれるとき、前方に位置するストッパ縁部３３は、ストッパタブ３０が凹部３４内に位置するようになるまで、捕捉されずにシェル１０内に導入されることができる。
【００２０】
図７〜図１３の模範具体例の場合は、パックの特徴が、スライド１１の構造によって形成される。内部滑動体１１は、ベース壁１４と、閉鎖用フラップ１５と、端部フラップ１６とからなるが、どのようなサイドフラップも持ち合わせていない。
【００２１】
パックのストッパシステムは、サイドフラップの領域において、換言すれば、ベース壁１４を横断して延出する面内で機能する。この目的のために、この例では長方形の設計をなす１つの突出ストッパタブ３０が、ベース壁１４の自由な縁部に設けられる。図８の構造をなす内部滑動体１１のブランクを材料を節約して製造するために、前記ストッパタブ３０は、これと同形、同サイズの打ち抜き部分３８を反対側に有する。
【００２２】
シェル１０もまた、類似の態様で、すなわち、それが外縁タブ２９の反対側に配置された第２の外縁タブ３９を備えるように設計される。２つの外縁タブ２９と３９は、ともにシェル１０の側部壁２８を形成し、外縁タブ２９、３９は、互いに重なって、接着剤等で互いに接続される。この場合、外縁タブ３９が外側に来るように配置され、側部壁２８の全幅および/または全高に亘って延出する。
【００２３】
内側になる外縁タブ２９は、ストッパタブ３０と協働し、そのための開放凹部３４を備えている。この凹部は、長方形であって、横断方向に向くストッパ、つまり、開くときのストッパ３５と閉じるときのストッパ３６を形成する。
【００２４】
一方のストッパすなわち開くときのストッパ３５は、特別な態様で、正確にいえば、短い切り込み４０(図９参照)によって区画されるように設計されるので、１つの露出する端部片４１を備える。この端部片は、内側に向かって変形されている(図１３)ので、ストッパタブ３０のストッパ縁部３２用の特に有効で乗り越えられないストッパを形成する。
【図面の簡単な説明】
【００２６】
【図１】  開いた位置にある、スライドとシェルとを備えるシガレットパックの斜視図。
【図２】  展開位置にあるスライド用のブランク。
【図３】  シェル用の展開ブランク。
【図４】  閉じた位置にある図１のパックの長手方向断面を示す。
【図５】  開いた位置にある図４のパックの一部を断面で示す平面図。
【図６】  図５のVI-VI断面に沿う図４のパックの一部。
【図７】  図１と同様なパックの別の模範具体例を示す。
【図８】  図７のパックのためのスライド用の展開ブランク。
【図９】  図７のパックのためのシェル用の展開部ランク。
【図１０】  開いた位置にある図７のパックの拡大平面図。
【図１１】  図１０のパックの断面XI-XIに沿う長手方向断面図。
【図１２】  図１１のパックの断面XII-XIIに沿う細部の拡大図。
【図１３】  図１２のパックの断面XIII-XIIIに沿う細部。
【符号の説明】
【００２７】
１０…シェル、１１…スライド、１２…シガレットグループ、１３…内側ブランク、１４…ベース壁、１５…閉鎖フラップ、１６…端部フラップ、１７…サイドフラップ、１８…サイドフラップ、１９…端部壁、２０…挿入フラップ、２１…パンチカット、２２…中間壁、２３…端部壁、２４…挿入フラップ、２５…上部壁、２６…底部壁、２７…側部壁、２８…側部壁、２９…外縁タブ、３０…ストッパタブ、３１…パンチング、３２…ストッパ縁部、３３…ストッパ縁部、３４…凹部、３５…開くときのストッパ、３６…閉じるときのストッパ、３７…曲折縁部、３８…打ち抜き部分、３９…外縁タブ、４０…切り込み、４１…端部片、４２…接続フラップ、
【図１】
0004142590.tif 000002
【図２】
0004142590.tif 000003
【図３】
0004142590.tif 000004
【図４】
0004142590.tif 000005
【図５】
0004142590.tif 000006
【図６】
0004142590.tif 000007
【図７】
0004142590.tif 000008
【図８】
0004142590.tif 000009
【図９】
0004142590.tif 000010
【図１０】
0004142590.tif 000011
【図１１】
0004142590.tif 000012
【図１２】
0004142590.tif 000013
【図１３】
0004142590.tif 000014